(57)【要約】      （修正有）【課題】犬猫の排泄物の処理を、抵抗感なく行え、用具の扱いが容易、安価、小型、軽量、屋外への携行可能な排泄物処理具を提供する。【解決手段】排泄物収取具の挟待部１と１ａに排泄物覆い材の水溶性且つ微生物による分解可能ペーパー５をセットし該排泄物を収取し持ち帰る。該ペーパーはトイレに流し処理できる。該ペーパーは紙に限らず同様の性質ある不織布等も使用出来る。該ペーパーは水潤性が高いので水分が多い排泄物や天候次第では手掴みは躊躇されるが、該収取具を使用するため抵抗感は低くなる。把部２と２ａは枢軸４とバネ３で枢着されている。把部２と２ａを握ることにより挟持部１と１ａは狭まり排泄物を該ペーパー５で覆い挟み収取する。挟持部１、１ａと把部２、２ａは略４５度の角度を有し立ち姿勢からも操作出来る。構造が簡単であり、大きな力が掛からないので軽量、小型に出来る。トイレ紙も使用出来る。【選択図】図１
0003162869.tif 000002
【実用新案登録請求の範囲】
【請求項１】
犬猫等の排泄物収取具にあって、把部に枢軸とバネを有し、挟持部に排泄物を覆い包むペーパーを装着し得る対の挟持部と把部が略４５度の角度を有すことを特徴とする片手で操作し得る小型軽量な犬猫等の携行排泄物収取具。
【請求項２】
犬猫の排泄物を覆い包み込む強度と構造を持つ水溶性（水解性）かつ微生物による分解可能なペーパー等を該排泄物収取具に着脱自在とした該ペーバーの構造と形状を特徴とした犬猫等の携行排泄物収取具。
【請求項３】
請求項２の専用排泄物収取ペーパーがなくとも、トイレ紙を代替使用可能にしたことを特徴とした犬猫等の携行排泄物収取具。
【考案の詳細な説明】
【技術分野】
【０００１】  本考案は屋外での犬猫の排泄物の収取に関する携行型簡易犬猫排泄物収取具を提供する。
【背景技術】
【０００２】  ペットの屋外での排泄物処理に関しては大要（１）排泄時、地面に落ちる前に捕集する。（２）地面に排便された排泄物をスコップ・ヘラ等で掻き集める。（３）袋状物で掴み取る等である。
【考案の概要】
【考案が解決しようとする課題】
【０００３】  これからの高齢化社会にあっては、ますますペットを家族同様に飼育する家庭が増えており、又ペットの排泄物処置は社会的にも課題となっている。この為前項記載の背景技術が提供されている。本考案は（１）引き綱で犬を確保しながらの排泄物処理である為片手で操作出来ること。（２）携行品である為小型、軽量が必須要件。（３）風の強い日でも排泄物を包み込むペーパー等が飛ばない様にする。（４）排泄物とペーパーは水洗トイレに流せる様にし、極力可燃ゴミとしない。（５）手や収取具に汚物がつかない。（６）汚物処理の抵抗感を減少する。
【課題を解決する為の手段】
【０００４】（１）犬猫の排泄物を収取する最も単純な作業である挟み拾い上げる手段を可能とする挟具を提供する。（２）上記作業の前は挟持部が開いていた方が開く動作が不要の為バネを取り付けて有る。（３）水溶性且つ微生物による分解可能な性能を持つペーパーが挟持部に着脱自在に装着出来る専用ペーパーを提供する。（４）立ち姿勢で操作し易い様に挟持部と把部の間に角度をつける。
【考案の効果】
【０００５】  本考案は基本的に挟具である為（１）構造が簡単で安価で提供出来る。（２）手掴みと違い道具経由での汚物処理の為抵抗感が軽減出来る。（３）小型の為軽量で屋外に携行出来る。（４）挟具であるが角度を付けている為立ち位置から操作し得る。（５）専用のペーパーを使用すれば、トイレに流せる。またトイレ紙も使用出来るので同様処置が可能である。
【図面の簡単な説明】
【０００６】
【図１】本考案の犬猫排泄物収取具と専用の収取ペーパー
【図２】前項の専用収取ペーパーと収取具セット図
【図３】専用ペーパー代用のトイレットペーパー使用例
【図４】該収取具の挟持部の他の形状例
【図５】該収取具の使用実施図
【考案を実施するための形態】
【０００７】  該排泄物収取挟具はペットの便を掴むだけの為、冶工具と違いそれほどの強度は要求されない。アルミ等の軽金属・樹脂でも製作可能である。排泄物と排泄物を覆うペーパーを掴む該挟持部分は簡単な棒や幅の狭い板形状が望ましい。汚れがつかない、洗浄が簡単である。専用ペーパーは水溶性で且つ微生物で分解されトイレに流し処理できる。トイレ紙も巻きつけ操作で使用可能。
【実施例】
【０００８】以下添付図面に従って実施例を説明する。［図１］挟持部１と１ａはペーパー５を取り付け、排泄物を挟み収取する棒もしくは幅の狭い板状物。把部２・２ａは挟開操作部で挟待部１・１ａと略４５度の角度がある。把部２と２ａはバネ３と枢軸４で枢着されている。５は専用ペーパー。【０００９】［図２］専用ペーパー５は該排泄物収取具の挟持部１と１ａが差し込み易く且つ、排泄物が含水時でも一定の強度を保持する強化部５ａを特徴とする。未使用時は折り畳まれ嵩を小さくする。【００１０】［図３］は該収取具の挟待部１と１ａにトイレ紙６を巻き付けた実施例の説明と、排泄物収納空間を確保する為指先で押す動作を示した説明図である。【００１１】［図４］は該収取具の挟持部１と１ａが異形をしている実施例である。この形の方が挟持部の挟む力は大きくなるが、ペーパーが取り付けにくい。【００１２】［図５］は片手での該収取具の使用例を図示している。枢軸４とバネ部３は手の掌に隠れている
【符号の説明】
【００１３】１排泄物収取具の挟待部
２収取具把部と挟開操作部
３収取具挟待部を開くバネ
４枢軸
５専用ペーパー
６トイレ紙
【図１】
0003162869.tif 000003
【図２】
0003162869.tif 000004
【図３】
0003162869.tif 000005
【図４】
0003162869.tif 000006
【図５】
0003162869.tif 000007
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
犬猫の携行排泄物収取具にあって、把部（２と２ａ）に枢軸（４）とバネ（３）を有した挟具形状であり、挟持部（１と１ａ）に排泄物を覆い包むペーパー（５）を装着する挟持部（１と１ａ）を備え、該挟持部より該把部が略４５度の角度で立ち上がっていることを特徴とする犬猫の携行排泄物収取具。
【請求項２】
前記犬猫の携行排泄物収取具の挟持部（１と１ａ）は対の棒形状をなし、該挟持部に装着する前記ペーパー（５）の両端部（５ａ）は内部が空洞な筒形状を有する。挟持部（１と１ａ）を該ペーパーの両端部（５ａ）に差し込み該ペーパーを装着する該挟持部形状を特徴とする請求項１記載の犬猫の携行排泄物収取具。
【請求項３】
前記ペーパー（５）の代りにトイレ紙（６）も使用出来る。犬猫の携行排泄物収取具の挟持部（１と１ａ）がバネ（３）で開いた状態で該挟持部に３層あるいは４層に巻き付けた該トイレ紙（６）装着の該挟持部を備えことを特徴とする請求項２記載の犬猫の携行排泄物収取具。
【手続補正書】
【提出日】平成22年7月2日(2010.7.2)
【手続補正１】
【補正対象書類名】実用新案登録請求の範囲
【補正対象項目名】全文
【補正方法】変更
【補正の内容】
【実用新案登録請求の範囲】
【請求項１】
犬猫の携行排泄物収取具にあって、把部（２と２ａ）に枢軸（４）とバネ（３）を有した挟具形状であり、挟持部（１と１ａ）に排泄物を覆い包むペーパー（５）を装着する挟持部（１と１ａ）を備え、該挟持部より該把部が略４５度の角度で立ち上がっていることを特徴とする犬猫の携行排泄物収取具。
【請求項２】
前記犬猫の携行排泄物収取具の挟持部（１と１ａ）は対の棒形状をなし、該挟持部に装着する前記ペーパー（５）の両端部（５ａ）は内部が空洞な筒形状を有し、挟持部（１と１ａ）を該ペーパーの両端部（５ａ）に差し込み該ペーパーを装着する該挟持部形状を特徴とする請求項１記載の犬猫の携行排泄物収取具。
【請求項３】
前記ペーパー（５）の代りにトイレ紙（６）も使用し、犬猫の携行排泄物収取具の挟持部（１と１ａ）がバネ（３）で開いた状態で該挟持部に３層あるいは４層に巻き付けた該トイレ紙（６）装着の該挟持部を備えことを特徴とする請求項２記載の犬猫の携行排泄物収取具。